(57)【要約】【課題】構造的な一体性を改良した靴を提供する。【解決手段】本発明は、かかとと上面と底面とを有する１つの部品からなる表底と、上記かかとに配置され、上記かかとの形状と適合するために平らな側面と反対側の湾曲した側面とを有する固定機構であって、上記上面と上記底面との間に配置される少なくとも２つの留め具を受け入れるほどの大きさである固定機構と、甲革と、上記甲革に縫い付けられるタックと、を有し、上記タックは、上記甲革を上記表底に固定するために、少なくとも２つの留め具を、上記甲革から、上記甲革に取り付けられる上記タックを通じて、上記固定機構まで延在させることにより、上記甲革を上記表底に取り付けるための上記固定機構に固定される、靴を提供する方法及び装置を有する。【選択図】図１
2008086820.tif 000002
【特許請求の範囲】
【請求項１】
かかとと上面と底面とを有する１つの部品からなる表底と、
上記かかとに配置され、上記かかとの形状と適合するために平らな側面と反対側の湾曲した側面とを有する固定機構であって、上記上面と上記底面との間に配置される少なくとも２つの留め具を受け入れるほどの大きさである固定機構と、
甲革と、
上記甲革に縫い付けられるタックと、
を有し、
上記タックは、上記甲革を上記表底に固定するために、少なくとも２つの留め具を、上記甲革から、上記甲革に取り付けられる上記タックを通じて、上記固定機構まで延在させることにより、上記甲革を上記表底に取り付けるための上記固定機構に固定される、ことを特徴とする靴。
【請求項２】
上記表底に対して上記甲革の位置を保持するために、上記上面から上方へ突き出し、上記上面の周縁部の少なくとも１つの局部的な領域の周りに延在するへりをさらに有することを特徴とする請求項１記載の靴。
【請求項３】
上記少なくとも１つの局部的な領域が上記上面の前側部分であることを特徴とする請求項２記載の靴。
【請求項４】
上記少なくとも１つの局部的な領域が上記上面の後側部分であることを特徴とする請求項２記載の靴。
【請求項５】
上記少なくとも１つの局部的な領域が上記上面の周縁部全体であることを特徴とする請求項２記載の靴。
【請求項６】
上記表底が上記固定機構のまわりに囲いを形成することを特徴とする請求項１記載の靴。
【請求項７】
上記表底に対する上記甲革の位置を保持する上記表底の凹所を規定するために、上記上面が曲がった形状であることを特徴とする請求項１記載の靴。
【請求項８】
上記甲革がさらにタックを有し、上記留め具が上記甲革を上記表底に固定するために上記タックを通って上記固定機構まで延在することを特徴とする請求項１記載の靴。
【請求項９】
上記靴は、ただ１つの固定機構と少なくとも２つの留め具とを備えていることを特徴とする請求項１記載の靴。
【請求項１０】
上記甲革を上記へりに固定するための縫い付けを更に備え、上記固定機構は、上記表底の内部に組み込まれた一塊の材料であり、上記固定機構の全ての表面が、上記表底のかかとの内側の輪郭に従う、ことを特徴とする請求項２記載の靴。
【請求項１１】
かかとと上面と底面とを有する１つの部品からなる表底と、
上記かかとに配置され、上記かかとの形状と適合するために平らな側面と反対側の湾曲した側面とを有する固定機構であって、上記上面と上記底面との間に配置される少なくとも２つの留め具を受け入れるほどの大きさである固定機構と、
甲革と、
上記甲革に縫い付けられるタックであって、上記上面の一部の上に延在する上記タックと、
上記表底に対して上記甲革の位置を保持するために、上記上面から上方へ突き出し、上記上面の周縁部の少なくとも１つの局部的な領域の周りに延在するへりと、
を有し、
上記タックは、上記甲革を上記表底に固定するために、少なくとも２つの留め具を、上記甲革から上記タックを通じて上記固定機構まで延在させることにより、上記甲革を上記表底に取り付けるための上記固定機構に固定され、
上記少なくとも２つの留め具が上記タックと上記表底の一部とを通り、上記固定機構に貫入する、ことを特徴とする靴。
【請求項１２】
上記表底に対する上記甲革の位置を保持する上記表底の凹所を規定するために、上記上面が曲がった形状であることを特徴とする請求項１１記載の靴。
【請求項１３】
かかとと上面と底面とを有する１つの部品からなる表底を供給するステップと、
上記上面と上記底面との間において上記かかとに固定機構を配置するステップと、
上記かかとの形状に適合するために、上記固定機構の１つの側面を平らにし、上記固定機構の反対側の側面を湾曲させるステップと、
上記固定機構を少なくとも２つの留め具を受け入れるほどの大きさにするステップと、
甲革をタックに縫い付けるステップと、
上記甲革を上記表底に結合するために、少なくとも２つの留め具を上記甲革から上記タックを通じて上記固定機構まで延在させることによって、上記タックを上記固定機構に取り付けることにより、上記甲革を上記表底に固定するステップと、
を有する、ことを特徴とする靴を提供する方法。
【請求項１４】
上記固定機構のまわりを表底で囲むステップをさらに有することを特徴とする請求項１３記載の方法。
【請求項１５】
上記表底に対して甲革の位置を保持するために、上面からへりを上方へ突き出し、上面の周縁部の少なくとも１つの局部的な領域の周りにへりを延在させるステップをさらに有することを特徴とする請求項１３記載の方法。
【請求項１６】
上記表底に対する甲革の位置を保持する表底の凹所を規定するために、上面を弓形に曲げるステップをさらに有することを特徴とする請求項１３記載の方法。
【発明の詳細な説明】
【技術分野】
【０００１】
本発明は、甲革(upper)が固定される構造を付与するために、表底(outsole)における改良された一体性を有する靴に関するものである。甲革と表底との間により良好な結合を付与することにより、靴の全体的な構造的な一体性もまた改良される。
【背景技術】
【０００２】
靴は、当業者に知られた幾つかの異なる形式の構造のいずれか１つに基づいて構成される。
【０００３】
構造の１つの形式は、オパンカ構造(Opanka construction)とよく呼ばれ、典型的には表底の外周全体に沿って、表底を靴の甲革に縫い付けることを包含する。表底は、一般的にゴム又は他の可撓性に富む材料で作られるので、表底は、通常、ある程度の快適さを提供し、甲革を表底に縫い付けるために突き錐が表底を貫くことを可能とする。
【０００４】
もう１つの形式の構造は、通常、靴型に合わせられた甲革に表底を接着又は膠着することを必要とする。靴を組み立てるさらなる方法は、一般に裁縫と接着の組み合わせを包含し、甲革の前部は、典型的には表底の前部に縫い付けられ、典型的に靴型に合わせられた甲革の後側部分は、表底の後側部分に接着される。
【０００５】
靴の構造のもう１つの形式は、正装用の靴のようにかかとを有する靴によく見られ、かかとを表底に留めるために、くぎ、リベット、又はねじのような留め具(fastener)を使用することを含むかもしれない。留め具は、通常、縫いひだ(タック：tuck)を通って下方へ、そしてかかとの中へ打ち込まれるとがった先端を有し、上記タックは、典型的には、甲革が靴型に合わせられた後には甲革と接触している。かかとを表底に固定するために留め具を使用することにより起こり得る不都合は、表底が典型的にはゴム又は他の可撓性材料で作られているので、表底が留め具をしっかり固定する十分な一体性を与えないことである。結果として、甲革が表底から分離する場合もある。
【０００６】
セオ(Seo)に対し発行された米国特許第６３６０４５５号は、表底の上面の溝に置かれている控え板(アンカプレート：anchor plate)に関するものと思われ、留め具を受け入れるための多数の貫通孔を有する。留め具は、表底を通過し、明らかに表底の下側に配置されているように見えるトラクション・デバイス(traction device)に付随する(図５参照)。
【０００７】
ジョンソン(Johnson)に対し発行された米国特許第６１４５２２０号は、くぎをしっかり固定するためのタックを開示していると思われ、上記くぎは、中底(insole)、表底、及び甲革をタックに固定する。該タックは、剛性材料で作られているようであり、内側の中底の上ではあるが、靴の発泡体ライニング(lining)の下に配置されても良い。
【０００８】
モリス(Morris)に対し発行された米国特許第６１１５９４６号は、留め具を受け入れるためにねじ穴を有する控え板を開示していると思われ、上記留め具は、表底の下に配置される滑り板を控え板に固定する(図３及び図６参照)。控え板は、中物(midsole)の上にあるように思われる。
【特許文献１】米国特許第６３６０４５５号明細書
【特許文献２】米国特許第６１４５２２０号明細書
【特許文献３】米国特許第６１１５９４６号明細書
【発明の開示】
【発明が解決しようとする課題】
【０００９】
従って、構造的な一体性を改良した靴が求められている。また、甲革が表底に十分に固定されるように、表底に改良された一体性をもたらす靴構造が求められている。さらなる要求は、甲革を表底に固定する留め具を受け合い、しっかりと固定するために十分な一体性をもたらす表底である。
【００１０】
従って、構造的な一体性を改良した靴を提供することが、本発明の１つの目的である。
【００１１】
本発明のもう１つの目的は、甲革が表底にしっかりと結合されるように一体性を強化した表底を有する靴である。
【００１２】
本発明のさらなる要求は、甲革を表底に固定する留め具を受け合い、しっかり固定することができる表底を有する靴である。
【課題を解決するための手段】
【００１３】
これらと本発明の他の目的は、かかとと上面と底面とを有する１つの部品からなる表底と、上記かかとに配置され、上記かかとの形状と適合するために平らな側面と反対側の湾曲した側面とを有する固定機構であって、上記上面と上記底面との間に配置される少なくとも２つの留め具を受け入れるほどの大きさである固定機構(anchoring mechanism)と、甲革と、上記甲革に縫い付けられるタックと、を有し、上記タックは、上記甲革を上記表底に固定するために、少なくとも２つの留め具を、上記甲革から、上記甲革に取り付けられる上記タックを通じて、上記固定機構まで延在させることにより、上記甲革を上記表底に取り付けるための上記固定機構に固定される、靴を提供することにより実現される。
【００１４】
表底はまた、表底に対して甲革の位置を保持するために、表底の上面から上方へ突き出し、上面の周縁部の少なくとも１つの局部的な領域の周りに延在するへりを有しても良い。局部的な領域は、上面の前側部分、後側部分、又は周縁部全体であっても良い。
【００１５】
好ましい実施形態では、表底が、固定機構を完全に覆う囲いを形成する。他の実施形態においては、表底が固定機構を部分的にのみ覆い、さらなる実施形態では、固定機構は全く覆われない。
【００１６】
状況に応じて、表底に対する甲革の位置を保持する表底の凹所を規定するために、表底の上面が曲がった形状であっても良い。
【００１７】
本発明のもう１つの側面においては、靴を提供するための方法が、かかとと上面と底面とを有する１つの部品からなる表底を供給するステップと、上記上面と上記底面との間において上記かかとに固定機構を配置するステップと、上記かかとの形状に適合するために、上記固定機構の１つの側面を平らにし、上記固定機構の反対側の側面を湾曲させるステップと、上記固定機構を少なくとも２つの留め具を受け入れるほどの大きさにするステップと、甲革をタックに縫い付けるステップと、上記甲革を上記表底に結合するために、少なくとも２つの留め具を上記甲革から上記タックを通じて上記固定機構まで延在させることによって、上記タックを上記固定機構に取り付けることにより、上記甲革を上記表底に固定するステップと、を有する。
【００１８】
上記方法はまた、固定機構のまわりを表底で囲むステップを有しても良い。
【００１９】
さらなる実施形態においては、上記方法はまた、表底に対して甲革の位置を保持するために、上面からへりを上方へ突き出し、上面の周縁部の少なくとも１つの局部的な領域の周りにへりを延在させるステップを有しても良い。同様に、上記へりを設けることに加えて、又は上記へりを設ける代わりに、上記方法は、表底に対する甲革の位置を保持する表底の凹所を規定するために、上面を弓形に曲げるステップを有しても良い。
【００２０】
本発明及びその特別な特徴と利点は、添付図面に関して熟考された以下の詳細な記述からより明らかとなる。
【００２１】
図１は、本発明に係る靴１０を表わしている。靴１０は、表底２０と、甲革１６と、固定機構２２と、甲革１６を固定機構２２に固定するための留め具２４と、を有している。
【００２２】
図２は、表底２０をより詳しく表し、さらに表底は、かかと、つまり表底２０の後部に固定機構２２を有している。表底２０はまた、凹所３０とへり２８とを有している。
【００２３】
図３は、表底２０の長手方向に沿った断面図を表し、甲革１６を固定機構２２に固定するために固定機構２２が表底２０の内部に完全に配置されることを示している。図１と図３の両方を参照すれば、留め具２４は、通常は、ねじ又はくぎのように固定機構２２の中に突き通すことにより甲革１６を固定機構２２に固定する。
【００２４】
幾つかの実施形態においては、甲革１６は、使用者の足の下に広がり、甲革１６の左側１２を甲革１６の右側１４に結合するタック１８を有している(図１と図２の両方を参照)。タック１８は、靴型に合わせられている甲革１６上に一般的に見られる。これらの実施形態においては、留め具２４は、タック１８を貫通して、タック１８を固定機構２２に留める。鹿革靴(モカシン：moccasin)のように甲革１６がタック１８を有していない他の実施形態においては、留め具２４は、甲革１６を通り、甲革１６を固定機構２２に留める。
【００２５】
簡単にするために、甲革１６を固定機構２２に固定するものとして記載されている留め具２４は、甲革１６と接触しているタック１８が固定機構２２に固定されるところの靴型に合わせられた甲革の実施形態もまた含むものであることが理解される。
【００２６】
留め具２４は、甲革１６を十分に固定するために固定機構２２の中に必ずしも貫入する必要はない。留め具２４は、固定機構２２の表面に接着されるか又は固定されるように甲革１６を固定機構２２に単に結合させる必要があるだけである。これらの実施形態においては、留め具２４を固定機構２２の表面に接着することにより、固定機構２２の中に貫入することなく、靴１０の構造的な一体性を改良する目的を実現する。それ故に、創意に富んだ特徴は、留め具２４が甲革１６を固定機構２２にどのように固定するのかにかかわらず、甲革１６が固定される構造を提供するために、表底２０の中に配置された固定機構２２にある。留め具２４は、甲革１６を固定機構２２に固定するものであれば如何なる機構でも良く、ねじ、ボルト、釘、リベット、錨、糸、接着剤などであっても良い。
【００２７】
図１及び図２に示されるように、固定機構２２は、表底２０の内部に完全に覆われている。しかし、このことは、靴１０が適正に機能するために必要なことではない。必要なことは、固定機構２２が、甲革１６と表底２０との結合の強さ以上に甲革１６と固定機構２２との結合の強さを改良する十分な一体性を有することだけである。構造的な一体性は、この場合の靴１０においては、その形状を保持する構造の能力の計測できる程度であると規定される。
【００２８】
他の実施形態においては、固定機構２２は、表底２０の内部に部分的に覆われても良い。さらなる実施形態においては、固定機構２２は、表底２０に全く覆われなくて、表底２０の下方に又は上方にあっても良い。
【００２９】
図に示されたように、固定機構２２はプラスチック(plastic)であるが、他の実施形態においては、固定機構２２は、木材、金属、或いは甲革１６を表底２０に十分に固定するために十分な一体性を備えたあらゆる他の物質又は物質の組み合わせで作られても良い。一般的に、固定機構２２は表底２０よりも構造的な一体性を有する。
【００３０】
さらに、固定機構２２は、固定機構２２が貫かれてもよく、留め具２４がねじであるときは、留め具２４と甲革１６とが適所に保たれるような記憶を保持する材料(memory retaining material)でできている。
【００３１】
図２及び図４は、上面２６が上面２６の周縁部の周りに一段高いへり２８を有する表底２０の上面２６を表している。上面２６はまた、図４の断面図により詳しく示される凹所３０の輪郭を定める弓形に曲がった形状である。一段高いへり２８と凹所３０とは共に、表底２０に対して甲革１６及び／又は中底の位置を保持する助けとなる。
【００３２】
図５は、甲革１１２、フットベッド(footbed)１１４、タックボード(tuckboard)１１６、及び表底ユニット１１８を備えた４分の３オパンカ構造を有する靴１１０を示している。
【００３３】
甲革１１２は、好ましくは革で作られ、表底ユニット１１８と協働して靴１１０の内容積部を形成する。甲革１１２は、甲革１１２の内面に縫い付けられる内側の裏地(不図示)を有している。内側の裏地は、好ましくは、着用者に快適さを提供するためにしなやかな革で作られる。甲革１１２はまた、甲革の先端領域１２０の内部に合わされ縫い付けられた熱により活性化される先芯を有している。甲革１１２は、前側部分１２２と後側部分１２４に分割される。前側部分１２２は、先端領域１２０を含み、甲革の約半分の長さであって、ほぼ着用者の足の弓形部分が位置させられる部分まで後方に広がる。後側部分１２４は、甲革１１２の他方の半分であり、後側部分を形作るために靴型(不図示)に合わせられたラスティング(lasting)縁部１２６を有している。
【００３４】
表底ユニット１１８は、前部１３２と後部１３６に分けられ好ましくは成形されたポリ塩化ビニルで作られる表底１２８と、表底の前部１３２の中に装着される前部充填材１３０とを有している。かかと１３４は、表底１２８と一緒に成形される。タックボード１１６とフットベッド１１４とは、表底ユニット１１８の上に配置される。かかと１３４はまた、図１〜図４に基づいて前述したように、固定機構２２と、甲革１１２を留め具２４によりかかと１３４に固定する方法とを有しても良い。
【００３５】
図６を参照すれば、表底１２８は、前部１３２の周縁部に立ち上りへり部(standing lip)１３８を有している。立ち上りへり部１３８は、垂直方向の溝を有し、隣接した未加工のベース(base)１４０から約７ｍｍ立ち上がっており、立ち上りへり部は、甲革１１２が表底ユニット１１８に縫い付けられるときに、垂直方向に溝の付いたへりのベースに対する密着性を促進する。縫い付け工程は、後ほどより詳細に記載される。立ち上りへり部１３８及びベース１４０は、前部充填材１３０が装着されるべき空洞を規定する。
【００３６】
図７Ａを参照すれば、甲革１１２は、縫い付け操作を案内するために先端領域１２０にセンタ・マーク(center mark)１４２と前側部分１２２の側面に２つのサイド・マーク(side mark)１４４とを有することが示されている。図７Ｂを参照すれば、甲革１１２の前側部分１２２は、甲革１１２と表底１２８とが裏返しに一緒に縫い付けられ、次いでそれらが一緒に縫い付けられた後ひっくり返せることができるように、約７ｍｍの所定の許容差１２３を有している。後側部分１２４もまた、ラスティング縁部１２６が靴型に合わせられるように、約１５ｍｍの所定の許容差１２５を有している。
【００３７】
靴１１０の組立方法は、図に関連して記載される。
【００３８】
図８を参照すれば、甲革１１２は裏返しにされ、甲革に面するかかと側部を有する表底１２８に取り付けられている。甲革の前側部分１２２の周縁部は、表底の立ち上りへり部１３８に縫い付けられる。１列の縫い付け１４６が、表底１２８の前部１３２の周縁部の周りを進み、１つのサイド・マーカ１４４からもう１つのサイド・マーカ１４４まで行われる。補助的な列の縫い付け１４８が、１つのへり端部からもう１つのへり端部まで行われる。縫い付けられたへり１３８は、それからベース１４０にくっ付けられる。
【００３９】
甲革１１２が、表底１２８に縫い付けられた後、裏返し形状は、図９に示すようにひっくり返された甲革形状１５０を得るために内側にひっくり返される。次に前部充填材１３０は、ひっくり返された甲革形状１５０の内部に差し込まれ、前部１３２の空洞部に配置される。前部充填材１３０は、好ましくは、デラウェア州ウィルミントン(Wilmington)にあるデュポン社(E.l. duPont de Nemours)により“エルバックス(Elvax)”の登録商標のもとで売られているコルクとエチレン酢酸ビニル共重合体(ＥＶＡ copolymer)とから成る“ｄｒｙ２”の層で作られる。
【００４０】
図示されていないけれども、ひっくり返された甲革形状１５０のかかと部に構造上の支持を付与するために、月型芯(counter stiffener)が甲革１１２の中に差し込まれ得る。月型芯は、一般的に、月型芯を形成する機械で、加熱及び冷却法を使用して、熱可塑性材料から作られる。
【００４１】
図１０を参照すれば、図５に示されるようなタックボード１１６は、靴型１５２の下側にステープル(staple)で留められ、次に、靴型の輪郭上に甲革１１２をぴったりと形を合わせるために、ひっくり返された甲革形状１５０の中に差し込まれる。普通は１片の木材或いは合成物質で作られる靴型１５２は、おおよそ足の形状に従う。
【００４２】
表底ユニット１１８の後部１３６は、前部１３２に接するように曲げられ、弾力性のある保持用バンド１５４により、この姿勢で保持される。この位置で、甲革１１２の後側部分１２４は、人手又は機械により靴型に合わせられ、タックボード１１６のステープルは取り除かれる。靴型１５２に対して甲革を熱収縮させるために、甲革１１２は熱処理機(heat setting machine)を通される。表底１２８との良好な結合を促進するために、靴型に合わせられた甲革の後側部分１２４は、適切に表面を粗くされる。
【００４３】
図１１を参照すれば、弾性力のある保持用バンド１５４が取り除かれ、表底ユニット１１８は、靴型に合わせられた後側部分１２４に接着される。最後に、靴型１５２は靴１１０から取り除かれ、フットベッド１１４が靴の内容積部の中へ差し込まれる。
【００４４】
上記の実施形態では、表底ユニット１１８は、一体的に形成されている。本発明のもう１つの実施形態においては、表底ユニット１１８は、２つの分離した部品、つまり、ユニット前部１５６とユニット後部１５８で形成され得る。図１２を参照すれば、ユニット前部１５６は、底面１６２を有し、該底面は、底面の周縁部の周りに“Ｕ”字形状に配置される立ち上りへり部１６４と、立ち上りへり部に沿ってその内側を走る一段高いベース１７０とを有している。底面１６２は、“Ｕ”字の先端を越えて広がる突出部１６８を有している。
【００４５】
ユニット後部１５８の端部の歯止め(brake)１７２は、一段高いベース１７０の端部の控え壁(buttress)１７４に当接するように作られる。歯止めと控え壁１７４が接触するとき、ユニット前部１５６の突出部１６８は、ユニット後部１５８に形成され突出部を合わせるために形作られる凹所である溝１７６に嵌合する。ユニット後部１５８は、ポリ塩化ビニル又はユニット前部１５６より硬い他の物質で作られる。ユニット後部１５８は、かかと１６０(図１１)と一体的に又は別々に形成され、木材、又はアクリロニトリル・ブタジエン・スチレン樹脂(acrylonitrile butadiene styrene resin)のような他の物質で作られ得る。
【００４６】
ユニット前部１５６とユニット後部１５８とを有する靴１１０の組立は、以下に記載される。
【００４７】
図１３を参照すれば、甲革１１２は、裏返し形状で立ち上りへり部１６４に縫い付けられる。１列の縫い付け１７８が、ユニット前部１５６の周縁部の周りを進み、１つのサイド・マーカ１４４からもう１つのサイド・マーカ１４４まで行われる。補助的な列の縫い付け１８０が、１つのへり端部からもう１つのへり端部まで行われる。縫い付けられたへり１６４は、それから折りたたまれ一段高いベース１７０に接着される。前部１５６は、次に内側に曲げられた形状１８２を形作るために加圧される。
【００４８】
図１４を参照すれば、内側に曲げられた形状１８２は、次にひっくり返された形状の甲革１８４を形成するためにひっくり返され、前部充填材１３０は、ユニット前部１５６と甲革１１２との間の容積部の中へ差し込まれる。月型芯(不図示)とタックボード(図５)は、次にひっくり返された形状の甲革１８４の中へ差し込まれる。靴型１５２が、次に甲革１１２とユニット前部１５６との間の容積部の中に装着される。甲革１１２の後側部分１２４は、靴型１５２を覆うように引っ張られる。
【００４９】
図１５を参照すれば、後側部分１２４は、靴型１５２の形状に適合するように靴型に合わされ表面が粗くされる。ユニットの後部１５８の歯止め１７４は、次にユニット前部１５６の控え壁１７２と当接し、ユニット後部１５８は、甲革１１２に接着される。突出部１６８は、次にユニット後部１５８の溝１７６に取り付けられる。かかと１６０が、ユニット後部１５８の底面に取り付けられる。最後に、靴型１５２が取り除かれ、フットベット１１４(図５)が靴１１０の容積部の中に差し込まれる。
【００５０】
本発明は、特定の部品配置、特徴などに関して記載されているけれども、これらは、すべての可能な配置或いは特徴を余すことなく述べるものでなく、実際に他の多くの変形や変更が当業者にとって確認可能であろう。
【図面の簡単な説明】
【００５１】
【図１】本発明に係る靴を表す説明図である。
【図２】図１に示した靴の表底を表す説明図である。
【図３】図２に示した表底の断面図である。
【図４】図２に示した表底のもう１つの断面図である。
【図５】４分の３オパンカ構造で組み立てられる靴の構成部分の分解側面図である。
【図６】図５の靴の表底ユニットを示す説明図である。
【図７Ａ】図５の靴の甲革を示す説明図である。
【図７Ｂ】図５の靴の甲革を示す説明図である。
【図８】裏返しに取り付けられた甲革と表底ユニットを示す説明図である。
【図９】内側にひっくり返された図８の甲革と表底ユニットを示す説明図である。
【図１０】図９の表底ユニットの前部が、曲げられ弾力性のある保持用バンドにより同じ場所に保たれることを示す説明図である。
【図１１】靴型に合わせられた靴の後側部分が、図１０の表底ユニットの後部に取り付けられることを示す説明図である。
【図１２】本発明のもう１つの実施形態に基づく分離した前部と後部から成る表底を示す説明図である。
【図１３】図１２の前部が裏返しに甲革に取り付けられることを示す説明図である。
【図１４】内側にひっくり返された図１３の甲革と前部を示す説明図である。
【図１５】後部が甲革に取り付けられ、かかとが後部に取り付けられることを示す説明図である。
【符号の説明】
【００５２】
１０  靴
１２  甲革の左側
１４  甲革の右側
１６  甲革
１８  タック
２０  表底
２２  固定機構
２４  留め具
２６  表底の上面
２８  へり
３０  凹所
１１０  靴
１１２  甲革
１１４  フットベッド
１１６  タックボード
１１８  表底ユニット
１２０  甲革の先端領域
１２２  甲革の前側部分
１２３  許容差
１２４  甲革の後側部分
１２５  許容差
１２６  ラスティング縁部
１２８  表底
１３０  充填材
１３２  前部
１３４  かかと
１３６  後部
１３８  へり
１４０  ベース
１４２  センタ・マーク
１４４  サイド・マーク
１４６  １列の縫い付け
１４８  補助的な列の縫い付け
１５０  ひっくり返された甲革形状
１５２  靴型
１５４  保持用バンド
１５６  ユニット前部
１５８  ユニット後部
１６０  かかと
１６２  底面
１６４  へり
１６８  突出部
１７０  一段高いベース
１７２  歯止め
１７４  控え壁
１７６  溝
１７８  １列の縫い付け
１８０  補助的な列の縫い付け
１８２  内側に曲げられた形状
１８４  ひっくり返された形状の甲革
【図１】
2008086820.tif 000003
【図２】
2008086820.tif 000004
【図３】
2008086820.tif 000005
【図４】
2008086820.tif 000006
【図５】
2008086820.tif 000007
【図６】
2008086820.tif 000008
【図７Ａ】
2008086820.tif 000009
【図７Ｂ】
2008086820.tif 000010
【図８】
2008086820.tif 000011
【図９】
2008086820.tif 000012
【図１０】
2008086820.tif 000013
【図１１】
2008086820.tif 000014
【図１２】
2008086820.tif 000015
【図１３】
2008086820.tif 000016
【図１４】
2008086820.tif 000017
【図１５】
2008086820.tif 000018